(57)【要約】【課題】電子を豊富に含む電子水を超音波印加及び磁場印加によりさらに活性化させ、電子水単独での燃焼を可能とする燃焼方法を提供する。【解決手段】電子を豊富に含む電子水を超音波印加或いは磁場印加或いは超音波印加と磁場印加によりさらに活性化させ、電子水単独１００％での燃焼を可能とする。さらに石油系燃料との同時燃焼において電子水の体積比８０％以上を可能とし、ガス系燃料との同時燃焼に置いては電子水の重量比９０％以上を可能とすることを特徴とする。【選択図】図１
2011038755.tif 000002
【特許請求の範囲】
【請求項１】
電子を豊富に含んだ電子水を、超音波印加によりさらに励起し、燃料バーナ装置により燃焼させることをと特徴とする電子水の燃焼方法。
【請求項２】
電子を豊富に含んだ電子水を、磁場印加によりさらに励起し、燃料バーナ装置により燃焼させることをと特徴とする電子水の燃焼方法。
【請求項３】
請求項１及び請求項２において、電子を豊富に含んだ電子水は、電子を電子水１ｃｃ当り１０兆個以上含有することを特徴とする電子水の燃焼方法。
【請求項４】
請求項１において、電子を豊富に含んだ電子水を、超音波印加によりさらに励起し、燃料バーナ装置で燃焼させるに際し、軽油または灯油または重油等石油系燃料との同時燃焼を可能とすることを特徴とする電子水の燃焼方法。
【請求項５】
請求項１において、電子を豊富に含んだ電子水を、超音波印加によりさらに励起し、燃料バーナ装置で燃焼させるに際し、プロパンガス或いはブタンガス等のガス系燃料との同時燃焼を可能とすることを特徴とする電子水の燃焼方法。
【請求項６】
請求項２において、電子を豊富に含んだ電子水を、磁場印加によりさらに励起し、燃料バーナ装置で燃焼させるに際し、軽油または灯油または重油等石油系燃料との同時燃焼を可能とすることを特徴とする電子水の燃焼方法。
【請求項７】
請求項２において、電子を豊富に含んだ電子水を、磁場印加によりさらに励起し、燃料バーナ装置で燃焼させるに際し、プロパンガス或いはブタンガス等のガス系燃料との同時燃焼を可能とすることを特徴とする電子水の燃焼方法。
【請求項８】
電子を豊富に含んだ電子水を、超音波及び磁場印加によりさらに励起し、燃料バーナ装置により燃焼させることをと特徴とする電子水の燃焼方法。
【請求項９】
請求項８において、電子を豊富に含んだ電子水を、超音波及び磁場印加によりさらに励起し、燃料バーナ装置で燃焼させるに際し、軽油または灯油または重油等石油系燃料との同時燃焼を可能とすることを特徴とする電子水の燃焼方法。
【請求項１０】
請求項８において、電子を豊富に含んだ電子水を、超音波及び磁場印加によりさらに励起し、燃料バーナ装置で燃焼させるに際し、プロパンガス或いはブタンガス等のガス系燃料との同時燃焼を可能とすることを特徴とする電子水の燃焼方法。
【発明の詳細な説明】
【技術分野】
【０００１】  本発明は、電子を豊富に含んだ電子水を、超音波印加或いは磁場印加によりさらに活性化させ、活性化された電子水を燃料バーナ装置により燃焼させる燃焼方法に関するものであり、電子水単独での燃焼、或いは電子水と石油系燃料或いは電子水とガス系燃料との同時燃焼も可能とする燃焼方法に関するものである。
【背景技術】
【０００２】  水の成分は水素と酸素であり、水を燃料として使用する試みは従来よりなされている。例えばエマルジョン燃料は、水と油を界面活性剤を使用して混合し、燃焼させるものであるが、一般の水の場合、４，３００℃以上でないと水素と酸素に分離せず、従ってエマルジョン燃料の場合は、水自身は燃焼せず、水が蒸発する際の急激な体積膨張により、油の粒子を微小化し、燃焼効率の向上を図るものである。しかし装置が高額であり、水の蒸発時の潜熱が大であり、燃焼温度が低下する、装置の故障が多い等多くの問題があり、実用化は余り進んでいない。また水を低温度で燃焼させる試みがなされており、３８０℃の温度で燃焼に成功したとの発表もある。これは水を触媒とともに加熱し、蒸発させ、さらに第２の触媒の存在下に３８０℃まで加熱して点火燃焼させるものであるが、現在のところ実用化はなされていない。
電子を豊富に含み電子活性化された水を、軽油、灯油、重油等の石油系燃料と混合し、バーナ装置により燃焼する水燃料とオイル混合バーナ装置が実用化されているが、電子を豊富に含み活性化された電子水の配合比は体積比で３０％程度である。水配合比７０％以上或いは水１００％燃焼の装置は未だ開発されていない。水の成分である水素を燃料として使用することは、炭酸ガスが発生せず、地球温暖化防止、環境改善、省資源の面より極めて好ましいことであり、水１００％燃焼装置の開発は、省資源、地球温暖化防止、環境改善の面より望まれている事である。【０００３】  本願発明に関する公知技術として次の非特許文献を挙げることができる。【０００４】
【非特許文献１】「水を燃やす技術」、第６３頁〜６５頁
【非特許文献２】「水燃料＋オイル混合バーナー」、イズミ工業社カタログ
【非特許文献３】「超音波工学」、第２３０頁〜２３７頁
【非特許文献４】「水のはなし」、第２４５頁〜２６０頁
【発明の開示】
【発明が解決しようとする課題】
【０００５】  上述の如く、水と油を界面活性剤を使用して混合したエマルジョン燃料が一部において実用化され、或いは電子を豊富に含んだ電子水を軽由・灯油・重油等の石油系燃料と混合し、燃料バーナ装置により燃焼させる燃焼装置が実用化されているが、電子を豊富に含んだ電子水の体積配合比は３０％程度であり、現在、電子水１００％での燃焼方法は開発されていない。【０００６】  本発明は、上記従来の問題点を解決するためになされたものであり、電子を豊富に含む電子水を超音波印加或いは磁場印加或いは超音波印加と磁場印加等の物理的方法によりさらに活性化させ、電子水単独１００％での燃焼を可能とし、さらに油或いはガスとの同時燃焼においても電子水の配合割合を８０％以上可能とする電子水の燃焼方法を提供せんとするものである。
【課題を解決するための手段】
【０００７】  上記目的を達成する本発明の電子を豊富に含んだ電子水の燃焼方法は、該電子水を超音波印加することによりさらに活性化された電子水を、燃料バーナ装置により燃焼させる燃焼方法である。【０００８】  上記目的を達成する本発明の電子を豊富に含んだ電子水の燃焼方法は、該電子水を磁場印加することによりさらに活性化された電子水を、燃料バーナ装置により燃焼させる燃焼方法である。【０００９】  本発明において使用する電子を豊富に含んだに電子水は、電子水原液を５００〜２０，０００倍、好ましくは、１，０００〜１０，０００倍に水道水、湧水等で希釈した希釈水であり、電子を１ｃｃ当り１０兆個以上好ましくは１００兆個以上含有する活性化された電子水である。
電子水原液は、水道水、湧水、河川の水等より化学的方法により製造された電子水である。【００１０】  電子を豊富に含んだ電子水を、超音波印加によりさらに活性化させ、燃料バーナ装置で燃焼させるに際し、軽油または灯油または重油等の石油系燃料との同時燃焼において、さらに活性化された電子水の配合比は体積比で２０〜８０％以上である。【００１１】  電子を豊富に含んだ電子水を、超音波印加によりさらに活性化させ、燃料バーナ装置で燃焼させるに際し、プロパンガス、ブタンガス等のガス系燃料との同時燃焼において、さらに活性化された電子水の配合比は重量比で２０〜９０％以上である。【００１２】  電子を豊富に含んだ電子水を、磁場印加によりさらに活性化させ、燃料バーナ装置で燃焼させるに際し、軽油または灯油または重油等の石油系燃料との同時燃焼において、さらに活性化された電子水の配合比は体積比で２０〜７０％以上である。【００１３】  電子を豊富に含んだ電子水を、磁場印加によりさらに活性化させ、燃料バーナ装置で燃焼させるに際し、プロパンガス、ブタンガス等のガス系燃料との同時燃焼において、さらに活性化された電子水の配合比は重量比で２０〜８０％以上である。【００１４】  本発明における電子を豊富に含んだに電子水の燃焼方法は、電子を豊富に含んだ電子水を、超音波及び磁場印加によりさらに活性化させ、燃料バーナ装置により噴射・燃焼させる燃焼方法である。【００１５】  電子を豊富に含んだ電子水を、超音波印加及び磁場印加によりさらに活性化させ、燃料バーナ装置で燃焼させるに際し、軽油または灯油または重油等の石油系燃料との同時燃焼において、さらに活性化された電子水の配合比は体積比で２０〜９０％以上である。【００１６】  電子を豊富に含んだ電子水を、超音波印加及び磁場印加によりさらに活性化させ、燃料バーナ装置で燃焼させるに際し、プロパンガス、ブタンガス等のガス系燃料との同時燃焼において、さらに活性化された電子水の配合比は重量比で２０〜９０％以上である。
【発明の効果】
【００１７】  以上説明したように本発明によれば、電子を豊富に含んだ電子水を超音波印加或いは磁場印加或いは超音波と磁場印加によりさらに活性化させることにより、電子水を構成する水素原子と酸素原子の結合力が低下し、３５０〜４００℃以下の低温度で水素と酸素に分離し、分離した水素が酸素と反応して燃焼する。従って電子水単独での燃焼が可能となり、さらに灯油、重油等の石油系燃料、プロパンガス、ブタンガス等のガス系燃料との同時燃焼も容易となる。石油系燃料との同時燃焼における電子水の配合比は、体積比で８０％以上においても燃焼が可能となり、ガス系燃料との同時燃焼における電子水の配合比は重量比で９０％以上においても燃焼可能となる。電子水の燃焼は、水素の燃焼であり、排気物は水であり、クリーンエネルギーとして環境改善、地球温暖化防止に貢献すると共に、燃料費の大幅低減にも貢献しうるのである。また実際使用に際しては、原液を１，０００〜１０，０００倍に水道水等で希釈して使用するので、輸送費が低減し、燃料の維持・管理費が低減し、安全性も向上し、販売も容易となる。
【発明を実施するための最良の形態】
【００１８】  以下本発明の実施の形態を図面に基づき説明する。【００１９】  図１〜図１０は本発明の実施の形態に係り、図１は、本発明による電子を豊富に含んだ電子水を超音波印加により励起し、燃料バーナ装置により燃焼させる燃焼方法の１例図である。図２は、本発明による電子を豊富に含んだ電子水を磁場印加により励起し、燃料バーナ装置により燃焼させる燃焼方法の１例図である。【００２０】  図３は、本発明における電子を豊富に含んだ電子水において、電子の存在を示すバブルチェンバー現象である。【００２１】  図４は、本発明による電子を豊富に含んだ電子水を磁場印加により励起し、燃料バーナ装置により燃焼させる燃焼方法における永久磁石配置方法の１例図である。【００２２】  図５は、本発明による電子を豊富に含んだ電子水を超音波印加により励起し、燃料バーナ装置により燃焼させるに際し、軽油または灯油または重油等の石油系燃料との同時燃焼を可能とする燃焼方法の１例図である。【００２３】  図６は、本発明による電子を豊富に含んだ電子水を超音波印加により励起し、燃料バーナ装置により燃焼させるに際し、プロパンガス、ブタンガス等ガス系燃料との同時燃焼を可能とする電子を豊富に含んだ電子水の燃焼方法の１例図である。【００２４】  図７は、本発明による電子を豊富に含んだ電子水を磁場印加により励起し、燃料バーナ装置により燃焼させるに際し、軽油または灯油または重油等の石油系燃料との同時燃焼を可能とする電子を豊富に含んだ電子水の燃焼方法の１例図である。【００２５】  図８は、本発明による電子を豊富に含んだ電子水を超音波印加及び磁場印加によりさらに励起し、燃料バーナ装置により燃焼させる電子を豊富に含んだ電子水の燃焼方法の１例図である。【００２６】  図９は、本発明による電子を豊富に含んだ電子水を超音波印加及び磁場印加によりさらに励起し、燃料バーナ装置により燃焼させるに際し、軽油または灯油または重油等の石油系燃料との同時燃焼を可能とする電子を豊富に含んだ電子水の燃焼方法の１例図である。【００２７】  図１０は、本発明による電子を豊富に含んだ電子水を超音波印加及び磁場印加によりさらに励起し、燃料バーナ装置により燃焼させるに際し、プロパンガス、ブタンガス等ガス系燃料との同時燃焼を可能とする電子を豊富に含んだ電子水の燃焼方法の１例図である。【００２８】  図１において、１は、電子を豊富に含んだ電子水の希釈水１ｅを入れた電子水タンクであり、電子水の希釈水１ｅはポンプ７により電子水用配管１ａを通して超音波印加装置２に送られ、振動子３及び振動板３ａにより超音波を放射される。超音波を放射された電子水２ｅは、配管２ａを通して燃料バーナ装置４に送られ、燃料バーナ装置により噴射された電子水４ｅは、電熱式ヒータ６により加熱され燃焼を開始する。５は送風機、８は燃焼炉である。なお希釈電子水１ｅは、予め電子水原液を水道水等で、１，０００〜１０，０００倍に希釈されたものである。【００２９】  超音波印加装置２により超音波印加されさらに活性化されたた電子水２ｅは、燃料バーナ装置４に送られ噴射・燃焼開始するが、燃焼開始温度は４００〜４３０℃であった。【００３０】  希釈された電子水中に含まれる電子数は、電���水１ｃｃ当り１０兆個以上、好ましくは１００兆個以上である。超音波印加において、超音波印加の方法は、原則的には超音波洗浄装置における洗浄液と同様であり、超音波印加装置２内の電子水に振動子３、振動板３ａにより超音波を放射し、電子水をさらに活性化させる。【００３１】  超音波放射の効果としては、キャビテーション効果であり、超音波印加装置２内の電子水中に空洞の発生・消滅が繰り返され、空洞の消滅時に大きな圧力（数百気圧）が発生し、水分子を構成する水素原子と酸素原子間の結合力を弱める力が作用する。【００３２】  電子水タンク１内の電子水１ｅは、自由電子を豊富に含んでおり、その自由電子の働きにより、水分子を構成する水素原子のＫ殻及び酸素原子のＫ殻、Ｌ殻の電子がエネルギーを得て活性化し、Ｍ殻に移動し、原子核との結合力が弱まり、５５０℃前後で水素と酸素に分離し、水素が酸素と反応して燃焼開始する。一般の水は４，３００℃以上でないと水素と酸素に分離しない。【００３３】  この活性化された電子水１ｅが、超音波印加装置２内で超音波放射を受け、キャビテーション効果によりさらに活性化した電子水２ｅとなり、水素原子と酸素原子の結合力がさらに弱まり、より低温度４００℃以下で水素と酸素が分離し、水素が酸素と反応して燃焼するのである。【００３４】  超音波照射においては、２０〜４０ＫＨｚの超音波、好ましくは２４〜３０ＫＨｚの超音波を１分間程度放射する。放射後は速やかに燃料バーナ装置４に電子水２ｅを送り、燃料バーナ装置より電子水４ｅを噴射し、電熱ヒータ６により加熱、着火燃焼させる。【００３５】  電子水１ｅの原液は、水道水、湧水、河川の水等一般の水を原料とし、水とカルシュム及びマグネシウムを含む鉱石との化学反応により得られた強アルカリ溶液を、数気圧の圧力下で精製して得られたものである。燃料として使用する場合は、精製された原液を希釈して使用する。【００３６】  希釈電子水の発熱量は、水に含まれる水素の酸素との反応により発生する発熱量に等しい。したがって電子水１ｌ中に含まれる水素は０．１１１ｋｇであり、水素１ｋｇの発熱量（低位発熱量）は２８，８００ｋｃａｌであるので、電子水１ｌの発熱量は約３，２００ｋｃａｌとなる。これは灯油等の発熱量８，７００ｋｃａｌ／ｌの約３７％である。【００３７】  燃料として使用する場合、精製された原液を１０，０００倍に希釈して使用する。したがって原液１ｌは、希釈して１０，０００ｌとなり、これは単純に発熱量から比較すると３，２００ｌの灯油に相当する。なお燃焼効率等考慮すると３，５００〜４，０００ｌ以上に相当し、燃料の輸送費、維持費も大幅に低減し、安全性も向上する。なお希釈倍率は特に１０，０００倍に限定されるものではない。【００３８】  なお超音波印加により活性化された電子水の発火温度の確認は、燃焼炉８内の温度を上昇させ、燃焼炉内の温度がある一定温度以上になったとき電子水を炉内に噴射し、電子水が燃焼するときの温度で判定している。例えば炉内の温度が５００℃に達したとき、噴射した電子水が発火燃焼すると、電子水の発火温度は５００℃としている。【００３９】  燃焼炉８内の温度上昇は、電子水と石油系燃料或いはガス系燃料との同時燃焼（図���及び図６）においては、石油系燃料或いはガス系燃料等を予め燃料弁４より噴射・燃焼させることにより行う。もし炉内温度が電子水の発火温度に達していない場合は、電子水を燃料弁装置により炉内に噴射しても、電子水は燃焼せず、水蒸気が発生するのみである。【００４０】  電子水と石油系燃料或いはガス系燃料との同時燃焼においては、燃料バーナ装置４の構造としては、特に限定されるものではないが、燃料バーナ装置４の中心部より電子水を噴射し、石油系燃料或いはガス系燃料は、電子水噴出孔の周辺部より噴射するように噴出孔を配置している。【００４１】  図２において、１は希釈電子水１ｅを入れた電子水タンクであり、燃料バーナ装置４への配管１ａの途中において、磁場印加装置９により配管１ａを流れる電子水１ｅに磁場を放射し、電子水１ｅをさらに活性化させ、活性化した電子水９ｅを燃料バーナ装置４により噴射し、噴射された電子水４ｅを電熱ヒータ６により加熱燃焼させる、８は燃焼炉である。【００４２】  希釈された電子水中に含まれる電子数は、電子水１ｃｃ当り１０兆個以上、好ましくは１００兆個以上である。磁場印加において磁場印加の方法としては、磁極のＮとＳ極間に形成された磁場の間を電子水１ｅを通過させ活性化させる、或いは図４に示す如く、Ｎ極とＮ極、Ｓ極とＳ極との同極を相対抗して配置し、磁力の反発力による均一な磁力線が放射形に放出され、通過する電子水１ｅを活性化させる。【００４３】  磁場印加装置９により磁場印加されさらに活性化されたた電子水は、燃料バーナ装置４に送られ噴射・燃焼開始するが、燃焼開始温度は４５０〜４８０℃であった。【００４４】  磁場印加により電子水がさらに活性化するのは、磁場通過の際、電子水内に起電力が発生し電流が流れ、電気エネルギーにより電子水がさらに活性化され、水分子を構成する水素原子と酸素原子の結合力が低下し、より低温度４５０〜４８０℃以下で水素と酸素に分離するものと考えられる。【００４５】  磁場印加における磁場の強さは、１，０００〜５，０００ガウス程度であり、磁場印加における電子水の流速は秒速１〜５ｍ、好ましくは秒速２〜４ｍである。【００４６】  図３は、本発明において使用する電子水中に存在する自由電子の存在を示すバブルチェンバー現象の拡大図である。電子を豊富に含んだ電子水を透明なコップに入れ、冷蔵庫内で１〜２日冷凍すると白い無数の線状の軌跡が見られる。これは電子が氷中を移動した際、そのエネルギーで氷を溶かし、細いトンネル状に発生したものである。電子の存在の確認は容易ではないが、本バブルチェンバー現象では容易に電子の存在を確認できる。なお一般の水では、バブルチェンバー現象は確認できない。【００４７】  図４は、本発明による電子水を磁場印加により励起する際における永久磁石配置方法の１例図である。磁石のＮ極どうし、或いはＳ極どうしを相対抗して配置している。
なお永久磁石に代わり電磁石を配置してもよい。【００４８】  図５は、電子水タンク１内の電子水１ｅを、超音波印加装置２において超音波を放射してさらに活性化させ、石油タンク１０内の石油系燃料１０ｆ例えば灯油との同時燃焼を可能とする電子水燃焼装置の１例図である。【００４９】  まず灯油１０ｆを燃料弁装置４より噴射燃焼させ、燃焼炉８内の温度が４００℃〜４３０℃に達した際に、超音波印可されより活性化された電子水２ｅを燃料弁４より噴射燃焼させる。従来、電子を豊富に含んだ電子水の噴射では燃焼炉８内の温度が５５０℃以上にならないと、電子水が水素と酸素に分離せず、燃焼することはなかった。【００５０】  電子水２ｅと灯油との同時燃焼においては、体積配合比電子水２ｅ／灯油＝９０／１０の配合比でも燃焼可能であるが、燃焼炉８内温度が高温度例えば１，０００℃以上を必要とする場合、昇温時間の短縮を図る場合においては、体積配合比電子水２ｅ／灯油＝２０／８０〜３０／７０程度が好ましい。燃焼炉８内温度の維持のみの場合は、燃焼炉内維持温度にもよるが体積配合比電子水２ｅ／灯油＝５０／５０〜７０／３０程度が好ましい。なおこれは灯油のみならず、軽油、Ａ重油等においても同様である。【００５１】  電子を豊富に含む電子水であって超音波印加未実施の場合においては、電子水と灯油との同時燃焼の場合、体積配合比は電子水／灯油＝３０／７０程度までであった。【００５２】  図６は、電子水タンク１内の電子水１ｅを、超音波印加装置２において超音波を放射してさらに活性化させ、活性化された電子水２ｅと、ガスボンベ１１内のガス系燃料１１ｆ例えプロパンガスとの同時燃焼を可能とする電子水燃焼装置の１例図である。【００５３】  まずプロパンガス１１ｆを燃料弁装置４より噴射燃焼させ、燃焼炉８内の温度が４００℃〜４３０℃に達した際に、超音波印可されより活性化された電子水２ｅを燃料弁４より噴射燃焼させる。従来、電子を豊富に含んだ電子水の噴射では燃焼炉８内の温度が５５０℃以上にならないと、電子水が水素と酸素に分離せず、燃焼することはなかった。【００５４】  電子水２ｅとプロパンガスとの同時燃焼においては、重量配合比電子水２ｅ／プロパンガス１１ｆ＝９０／１０の配合比でも燃焼可能であるが、燃焼炉６内温度が高温度例えば１，０００℃以上を必要とする場合、昇温時間の短縮を図る場合においては重量配合比において電子水２ｅ／プロパンガス１１ｆ＝３０／７０〜４０／６０程度が好ましい。燃焼炉８内温度の維持のみの場合は、燃焼炉内維持温度にもよるが、配合比電子水２ｅ／プロパンガス１１ｆ＝５０／５０〜７０／３０程度が好ましい。なおこれはプロパンガスのみならずブタンガス等においても同様である。【００５５】  電子を豊富に含む電子水であって超音波印加未実施の場合においては、電子水とプロパンガスとの同時燃焼の場合、重量配合比は電子水／プロパンガス＝６０／４０程度までであった。【００５６】図７は、電子水タンク１内の電子水１ｅを、磁場印加装置９により磁場を放射してさらに活性化させ、石油タンク１０内の石油系燃料１０ｆ例えば灯油との同時燃焼を可能とする電子水燃焼装置の１例図である。【００５７】  まず灯油１０ｆを燃料弁装置４より噴射燃焼させ、燃焼炉８内の温度が４５０℃〜４８０℃に達した際に、磁場印可されより活性化された電子水９ｅを燃料弁４より噴射燃焼させる。従来、電子を豊富に含んだ電子水の噴射では、燃焼炉８内の温度が５５０℃以上にならないと、電子水が水素と酸素に分離せず、燃焼することはなかった。【００５８】  電子水９ｅと灯油との同時燃焼においては、体積配合比電子水９ｅ／灯油＝９０／１０の配合比でも燃焼可能であるが、燃焼炉８内温度が高温度例えば１，０００℃以上を必要とする場合、昇温時間の短縮を図る場合においては電子水９ｅ／灯油＝２０／８０〜３０／７０程度が好ましい。燃焼炉６内温度の維持のみの場合は、燃焼炉内維持温度にもよるが体積配合比電子水８ｅ／灯油＝５０／５０〜７０／３０程度が好ましい。なおこれは灯油のみならず、軽油、Ａ重油等においても同様である。【００５９】  磁場印加装置によりさらに活性化された電子水９ｅと、ガス系燃料たとえばプロパンガスとの同時燃焼も同様に可能である。【００６０】  プロパンガスを燃料弁装置より噴射燃焼させ、燃焼炉内の温度が４５０℃〜４８０℃に達した際に、磁場印可されより活性化された電子水９ｅを燃料弁より噴射燃焼させる。従来、電子を豊富に含んだ電子水の噴射では燃焼炉内の温度が５５０℃以上にならないと、電子水が水素と酸素に分離せず、燃焼することはなかった。【００６１】  電子水９ｅとプロパンガスとの同時燃焼においては、重量配合比電子水９ｅ／プロパンガス＝８０／２０の配合比でも燃焼可能であるが、燃焼炉内温度が高温度例えば１，０００℃以上を必要とする場合、昇温時間の短縮を図る場合においては重量配合比において電子水９ｅ／プロパンガス＝３０／７０〜４０／６０程度が好ましい。燃焼炉内温度の維持のみの場合は、燃焼炉内維持温度にもよるが、配合比電子水９ｅ／プロパンガス１１ｆ＝５０／５０〜７０／３０程度が好ましい。なおこれはプロパンガスのみならずブタンガスにおいても同様である。【００６２】  図８は、電子水タンク１内の電子水１ｅが、超音波印加装置２及び磁場印加装置９によりさらに活性化され、活性化された電子水２９ｅを、燃料弁装置４により噴射し、電子噴射水４ｅを電熱ヒータ６により加熱、燃焼させる電子水燃焼装置の１例図である。【００６３】  電子水タンク１内の電子水１ｅは、超音波装置２に送られ、超音波放射を受け活性化され、さらに配管２ａにより燃料弁装置４に送られるが、その途中において磁気印加装置９によりさらに活性化される。超音波装置２及び磁気印加装置により活性化された電子水２９ｅは、燃料弁装置４より噴射され、噴射電子水４ｅは電熱ヒータ６により加熱され、３５０℃〜３８０℃において燃焼を開始する。【００６４】  活性化された電子水２９ｅが、３５０℃〜３８０℃において燃焼開始するのは、電子水が活性化されることにより、３５０℃以下において水素原子と酸素原子に分離していることを示すものである。従前、電子水が超音波印加及び磁場印加を受けない場合においては５５０℃以上でないと水素と酸素に分離しなかったのである。【００６５】  電子水を活性化させる場合、順序として超音波印加、磁場印加の順序の方が、磁場印加、超音波印加の順序より好ましい。磁��印加、超音波印加の順序の場合は、効果が低下する場合がある。【００６６】  図９は、電子水タンク１内の電子水１ｅを、超音波印加装置２及び磁場印加装置９によりさらに活性化させ、石油タンク１０内の石油系燃料例えば灯油１０ｆとの同時燃焼を可能とする電子水燃焼装置の１例図である。【００６７】  まず灯油１０ｆを燃料弁装置４より噴射燃焼させ、燃焼炉８内の温度が３５０℃〜３８０℃に達した際に、超音波印加装置２及び磁場印加装置９によりさらに活性化された電子水２９ｅを燃料弁４より噴射燃焼させる。従来、電子を豊富に含んだ電子水の噴射では、燃焼炉８内の温度が５５０℃以上にならないと、電子水が水素と酸素に分離せず、燃焼することはなかった。【００６８】  電子水２９ｅと灯油との同時燃焼においては、体積配合比電子水２９ｅ／灯油＝９０／１０の配合比でも燃焼可能であるが、燃焼炉８内温度が高温度例えば１，０００℃以上を必要とする場合、昇温時間の短縮を図る場合においては電子水２９ｅ／灯油＝２０／８０〜３０／７０程度が好ましい。燃焼炉８内温度の維持のみの場合は、燃焼炉内維持温度にもよるが体積配合比電子水２９ｅ／灯油＝５０／５０〜７０／３０程度が好ましい。なおこれは灯油のみならず、軽油、Ａ重油等においても同様である。【００６９】  図１０は、電子水タンク１内の電子水１ｅを、超音波印加装置２及び磁場印加装置９によりさらに活性化させ、より活性化された電子水２９ｅとガスボンベ１１内のガス系燃料例えばプロパンガス１１ｆとの同時燃焼を可能とする電子水燃焼装置の１例図である。【００７０】  プロパンガス１１ｆを燃料弁装置４より噴射燃焼させ、燃焼炉６内の温度が３５０℃〜３８０℃に達した際に、超音波印加及び磁場印可されより活性化された電子水２９ｅを燃料弁４より噴射燃焼させる。従来、電子を豊富に含んだ電子水の噴射では燃焼炉８内の温度が５５０℃以上にならないと、電子水が水素と酸素に分離せず、燃焼することはなかった。【００７１】  電子水２９ｅとプロパンガスとの同時燃焼においては、重量配合比電子水２９ｅ／プロパンガス＝９０／１０の配合比でも燃焼可能であるが、燃焼炉６内温度が高温度例えば１，０００℃以上を必要とする場合、昇温時間の短縮を図る場合においては重量配合比において電子水２８ｅ／プロパンガス＝３０／７０〜４０／６０程度が好ましい。燃焼炉６内温度の維持のみの場合は、燃焼炉内維持温度にもよるが、配合比電子水２９ｅ／プロパンガス１１ｆ＝５０／５０〜７０／３０程度が好ましい。なおこれはプロパンガスのみならずブタンガスにおいても同様である。
【産業上の利用可能性】
【００７２】  本発明の電子水の燃焼方法は、水の成分である水素を燃料として使用する電子水の燃焼方法を提供するものであり、省資源、炭酸ガス削減による地球温暖化防止、さらには燃料費低減の面よりみて実用化の可能性は大であり、社会に貢献するところは大きい。
【図面の簡単な説明】
【００７３】
【図１】本発明を実施するための超音波印加を行い活性化された電子水の燃焼方法を示す１例図。
【図２】本発明を実施するための磁場印加を行い活性化された電子水の燃焼方法を示す１例図。
【図３】本発明における電子水中に存在する自由電子の存在を示すバブルチェンバー現象を示す。
【図４】本発明を実施するための磁気印加装置の１例図。
【図５】本発明を実施するための超音波印加によりさらに活性化された電子水と灯油等の石油系燃料との同時燃焼方法を示す１例図。
【図６】本発明を実施するための超音波印加によりさらに活性化された電子水とプロパンガス等のガス系燃料との同時燃焼方法を示す１例図。
【図７】本発明を実施するための磁場印加によりさらに活性化された電子水と灯油等の石油系燃料との同時燃焼方法を示す１例図。
【図８】本発明を実施するための超音波印加及び磁場印加を行い、さらに活性化された電子水の燃焼方法を示す１例図。
【図９】本発明を実施するための超音波印加及び磁場印加によりさらに活性化された電子水と灯油等の石油系燃料との同時燃焼方法を示す１例図。
【図１０】本発明を実施するための超音波印加及び磁場印加によりさらに活性化された電子水とプロパンガス等のガス系燃料との同時燃焼方法を示す１例図。
【符号の説明】１      電子水タンク
１ａ    配管
１ｅ    電子水
２      超音波印加装置
２ａ    配管
２ｅ    超音波印加電子水
３      振動子
３ａ    振動板
４      燃料バーナ装置
４ｅ    噴射電子水
５      送風機
５ａ    空気配管
６      電熱ヒータ
７      ポンプ
７ａ    ポンプ
７ｂ    ポンプ
８      燃焼炉
９      磁場印加装置
９ａ    永久磁石
９１ａ  永久磁石
９ｂ    永久磁石
９１ｂ  永久磁石
９ｃ    永久磁石
９１ｃ  永久磁石
９ｅ    磁場印加電子水
１０    石油燃料タンク
１０ａ  配管
１０ｆ  石油系燃料
１１    ガスボンベ
１１ａ  ガス配管
１１ｆ  ガス
２９ｅ  超音波及び磁場印加電子水
【図１】
2011038755.tif 000003
【図２】
2011038755.tif 000004
【図３】
2011038755.tif 000005
【図４】
2011038755.tif 000006
【図５】
2011038755.tif 000007
【図６】
2011038755.tif 000008
【図７】
2011038755.tif 000009
【図８】
2011038755.tif 000010
【図９】
2011038755.tif 000011
【図１０】
2011038755.tif 000012